【事件の表示】
　特願２００４−　９０１８９「表示パネルおよびその製造方法」拒絶査定不服審判事件〔平成１７年１０月　６日出願公開、特開２００５−２７５１４２〕について、次のとおり審決する。
【結　論】
　本件審判の請求は、成り立たない。
【理　由】
１．手続の経緯・本願発明
　本願は、平成１６年３月２５日に特許出願したものであって、平成１８年１０月６日に手続補正がなされ、平成１９年１月２６日付けで拒絶査定がなされ、これに対し、同年３月８日に拒絶査定不服審判請求がなされるとともに同年４月５日に手続補正がなされ、その後、平成２０年６月３０日付けで上記平成１９年４月５日付け手続補正が却下されるとともに拒絶理由が通知され、平成２０年８月２７日に手続補正書が提出されたものである。
　そして、その請求項に係る発明は、平成２０年８月２７日付け手続補正書で補正された特許請求の範囲の請求項１〜１１に記載された事項により特定されるものであると認められるところ、請求項１に係る発明は次のものである。
　
「【請求項１】
　表示のための光を供給するバックライトと、マトリクス状に配置された複数の画素、および、上記バックライトから出射された光を遮光する遮光部、および、上記バックライトから出射された光を透過する開口部を含む画素形成パネルと、上記バックライトから出射された光を上記開口部に集光する複数のマイクロレンズからなるマイクロレンズアレイとを備えた表示パネルであって、
　上記画素形成パネルは、液晶層と、この液晶層を介して互いに対向する第１基板および第２基板とを備え、
　上記マイクロレンズアレイは、上記液晶層と上記バックライトとの間に配置される上記第１基板における上記液晶層とは反対側の面に設けられており、
　上記各画素は、当該表示パネルの周囲から入射された光を反射する反射部と、上記バックライトから出射され、上記開口部を通過した光を透過する透過部とを含む、当該表示パネルの表示面に対して平行な、上記マトリクス状に配列された上記複数の画素の列方向または行方向のうち、隣接する画素における上記透過部間の間隔が長い一方向に対して垂直方向に配列された１つ以上の絵素を含み、
　上記マイクロレンズは、
　上記一方向についての当該マイクロレンズの幅が、それと同方向の画素ピッチと等しく、かつ、
　レンズ頂上部に入射された上記バックライトからの光を、略そのままの強度及び方向で透過し、
　上記マイクロレンズアレイは、上記一方向に垂直な方向に配列された、上記一方向に集光力を有する複数のレンチキュラーレンズからなり、
　上記バックライトの出射光の広がり角度は、上記マイクロレンズの集光方向に対する上記開口部の全幅をＡＹ、上記第１基板の厚みをＴ、上記第１基板の屈折率ｎとしたときにｓｉｎθＡ＝ｎＡＹ／２Ｔで表される上記マイクロレンズの受容角度θＡの２．０倍以下であることを特徴とする表示パネル。」（以下「本願発明」という。）
　
　
２．引用例
　平成２０年６月３０日付けの拒絶の理由に引用され、この出願の出願前に頒布された刊行物である特開平２００３−１９５２７５号公報（以下「引用刊行物」という。）には、図面とともに以下の事項が記載されている。
　
ア　「【特許請求の範囲】
【請求項１】第一の基板と、第二の基板と、液晶層と、駆動部から構成され、前記第一の基板と第二の基板は液晶層を挟持してかつ駆動部に接続されており、第一の基板は共通電極を備え、第二の基板は複数の信号配線と走査配線を備え、第二の基板の信号配線と走査配線の交差部にはアクティブ素子を備え、第二の基板の各アクティブ素子には透明電極と反射電極が接続され、各画素は透過表示部と反射表示部を含みかつ格子状に分布する液晶表示装置であって、
マイクロレンズとバックライトを背後に備え、各マイクロレンズは円柱プリズム状の形状でかつ走査配線に平行に分布し、各マイクロレンズは各画素の透過表示部にバックライト光を集光する液晶表示装置。
【請求項２】各画素中の透過表示部は格子状に分布しており、かつマイクロレンズの中心線上に分布することを特徴とする請求項１の液晶表示装置。
【請求項３】マイクロレンズの幅は透過表示部よりも広く、かつ信号線方向の画素間隔と同等若しくはこれよりも狭いことを特徴とする請求項１の液晶表示装置。
【請求項４】バックライトの光強度は角度依存性を有し、その極大は法線方向付近にあり、発光強度の半値幅は５度以上，３５度以下であることを特徴とする請求項１の液晶表示装置。
・・・（中略）・・・。
【請求項９】複数の画素により表示部が構成され、複数の画素の各画素内に光透過部と光反射部を有する液晶表示装置において、
各画素の光透過部は各画素のほぼ同じ位置に配置されており、
各画素に配置された光透過部に沿った位置に対応して、円柱プリズム状のマイクロレンズを走査配線が配置された方向に配置したことを特徴とする液晶表示装置。
【請求項１０】前記マイクロレンズは、前記光透過部に該マイクロレンズにより集光した光が集まるように配置したことを特徴とする請求項９の液晶表示装置。
【請求項１１】前記マイクロレンズは、円柱プリズム状の頂点位置が、前記光透過部の位置に略沿うように配置したことを特徴とする請求項９又は１０の液晶表示装置。
【請求項１２】前記マイクロレンズが配置された側に光源が配置され、前記マイクロレンズは前記光源の光を前記光透過部に集光することを特徴とする請求項９〜１１のいずれか１項に記載の液晶表示装置。
【請求項１３】前記画素は複数の信号配線と該複数の信号配線に交差するように配置した走査配線に囲まれた領域に対応して構成されており、前記円柱プリズム状のマイクロレンズは、前記走査配線が配置された方向に配置されていることを特徴とする請求項９〜１２のいずれか１項に記載の液晶表示装置。
【請求項１４】前記信号配線及び前記走査配線は透明基板上に配置されており、該透明基板と、別の透明基板により液晶層を挟持していることを特徴とする請求項１３の液晶表示装置。」
イ　「【０００７】本発明が解決しようとする課題は、バックライト付の部分透過型液晶表示装置に置けるマイクロレンズの集光効率の向上である。」
ウ　「【００２９】（実施例１）本発明の液晶表示装置の液晶表示素子とマイクロレンズとバックライトの断面を図１に示す。液晶表示素子とマイクロレンズとバックライトが順次積層されている。このうちの、マイクロレンズ３５と、各画素内の反射表示部３８と透過表示部３９の配列関係を図２に示す。マイクロレンズ３５は円柱プリズム状であり、画素の短辺方向、即ち走査配線方向５３に平行である。信号配線方向５４の画素間隔が０.２４mmであるのに対し、マイクロレンズの幅は０.２２mmである。反射電極の外側のサイズが０.２３４mm×０.０７４mmであるのに対し、透過表示部のサイズは０.０９mm×０.０６mmであり、画素のほぼ中央に分布する。信号線方向では各透過表示部は０.１５mm の間隔を置いて分布しているのに対し、走査線方向では０.０３mm の間隔となっており、走査線方向においてより近接した格子状分布になっている。マイクロレンズの断面は概略二次曲面であり、マイクロレンズの中心５２は法線方向から見て透過表示部の中心５１に一致する。
【００３０】また、マイクロレンズと透過表示部の間には第二の基板，下側位相板，下側偏光板，マイクロレンズ基板が存在するが、それらの厚さはそれぞれおよそ０.５mm，０.１mm，０.１５mm，０.３５mm であるため、マイクロレンズと透過表示部はおよそ１mmの間隔がある。また、第二の基板，下側位相板，下側偏光板，マイクロレンズ基板、及びマイクロレンズの屈折率は１.５から１.６の範囲内にある。マイクロレンズと透過表示部の間隔と屈折率を考慮して、マイクロレンズの断面は概略二次曲面とし、更にその高さと幅の比は０.２ にした。これにより、特にコリメート性の良好な光が法線方向から入射した場合、光はマイクロレンズにより透過表示部に集光される。
【００３１】液晶表示素子は主に第一の基板１１と液晶層１０と第二の基板１２から構成され、第一の基板と第二の基板は液晶層を挟持する。第一の基板は、液晶層に近接する側にカラーフィルタ１３と平坦化層１５と共通電極１６と第一の配向膜１７を有する。第二の基板の液晶層に近接する側に薄膜トランジスタ１９と第二の配向膜２４を有する。薄膜トランジスタは逆スタガ型であり、走査配線と信号配線と反射電極２３と透明電極２５に接続されている。走査配線と信号配線は第一の絶縁層２０で絶縁されており、透明電極と反射電極は第二の絶縁層２１で絶縁されている。反射電極と薄膜トランジスタはスルーホール２７で結合されている。反射電極の上面には第三の絶縁層があり、第三の絶縁層の上面には第二の配向膜があり、液晶層に近接してその配向方向を規定する。
【００３２】１画素中で反射電極の配置された部分が反射表示部であり、透明電極が配置されている部分が透過表示部である。・・・（略）・・・。」
エ　「【００３９】バックライト３６は概略長方形状の形状の導光体の頂点に白色のエレクトロルミネッセンス光源を２個有する構成であり、エレクトロルミネッセンス光源は対角線方向に向けて主に発光する。これを、導光体底面の微小な突起部の干渉効果を利用して、液晶表示素子側に反射する。バックライトを発した光はコリメート性が高いが、面内の輝度分布の均一性が低い。拡散フィルムを通過させることにより面内の輝度分布をより均一にする。拡散フィルムを通過した時点での、発光強度の角度依存性を図４に示す。ここで、図４の横軸は法線方向を０度とした極角である。発光強度の半値幅が約２０度であり、良好なコリメート性を示す。」
オ　「【００４４】（実施例３）実施例２の液晶表示装置において、マイクロレンズを第二の基板上に直接形成した。この場合の本発明の液晶表示装置の断面図を図１０に示す。」
カ　「【００５６】これらの実施例により、本発明の液晶表示装置では高効率の反射表示と透過表示が得られるため、これを携帯型の情報機器等に搭載すれば、暗所から直射日光下に及ぶ広範な光環境下においてその表示特性を一層向上する効果が得られる。例えば、広範な光環境下において表示の明るさを向上できる。高色純度のカラーフィルタを搭載すれば、表示の明るさを従来同等に保った上で色再現範囲を拡大できる。以上のようにして、広範な環境下で良好な視認性の表示を与える液晶表示装置が実現される。」
キ　引用刊行物の「液晶表示装置」は、マトリクス状に配置された複数の画素、および、バックライト３６から出射された光を透過する透過表示部３９を含む液晶表示素子と、上記バックライト３６から出射された光を上記透過表示部３９に集光する複数のマイクロレンズ３５とを備えること、が上記摘記事項ア【請求項９】〜【請求項１２】の記載、及び図１、図２、図１０から見て取れる。
ク　以下の（ア）〜（ウ）の事項が、図２から見て取れる。
（ア）「液晶表示素子」の各「画素」は、隣接する画素における透過表示部３９間の間隔が長い信号配線方向に対して垂直方向（走査配線方向）に配列された１つ以上の絵素を含むこと。
（イ）複数のマイクロレンズ３５は、信号配線方向に一列に並んで配置されるものであるから、「マイクロレンズアレイ」といえること。
（ウ）マイクロレンズアレイは、信号配線方向に垂直な方向に配列された、上記信号配線方向に集光力を有する複数の円柱プリズム状のものであること。
ケ　「マイクロレンズ３５」は、液晶層１０とバックライト３６との間に配置される第二の基板１２における上記液晶層１０とは反対側の面に設けられていること、が図１０から見て取れる。
コ　上記摘記事項ウ【００２９】には、「信号配線方向５４の画素間隔が０.２４mmであるのに対し、マイクロレンズの幅は０.２２mmである。」と記載されているが、上記摘記事項ア【請求項３】には、「マイクロレンズの幅は、・・・信号線方向の画素間隔と同等若しくはこれよりも狭い・・・」と記載されているから、引用刊行物には、信号配線方向についての当該マイクロレンズの幅がそれと同方向の画素間隔と同等であること、が記載されている。
　
　したがって、上記記載事項を総合すると、引用刊行物には次の発明（以下「引用発明」という。）が記載されているものと認められる。
　
「バックライトと、マトリクス状に配置された複数の画素、および、上記バックライトから出射された光を透過する透過表示部を含む液晶表示素子と、上記バックライトから出射された光を上記透過表示部に集光する複数のマイクロレンズからなるマイクロレンズアレイとを備えた液晶表示装置であって、
　上記液晶表示素子は、主に液晶層と、この液晶層を挟持する第二の基板と第一の基板から構成され、
　上記マイクロレンズアレイは、上記液晶層と上記バックライトとの間に配置される上記第二の基板における上記液晶層とは反対側の面に設けられており、
　上記各画素は、反射電極が配置された反射表示部と、透明電極が配置された透過表示部とを含む、隣接する画素における上記透過表示部間の間隔が長い信号配線方向に対して垂直方向に配列された１つ以上の絵素を含み、
　上記マイクロレンズは、
　上記信号配線方向についての当該マイクロレンズの幅が、それと同方向の画素間隔と同等であり、
　上記マイクロレンズアレイは、信号配線方向に垂直な方向に配列された、上記信号配線方向に集光力を有する複数の円柱プリズム状のものである、液晶表示装置。」
　
　
３．対比、判断
　本願発明と引用発明を対比する。
ア　引用発明１の「マトリクス状」、「画素」、「透過表示部」、「液晶表示素子」、「集光する」、「マイクロレンズ」、「マイクロレンズアレイ」、「液晶表示装置」、「液晶層」、「第二の基板」、「第一の基板」、「（透過表示部間の間隔が長い）信号配線方向」、「画素間隔」、「同等であり」及び「円柱プリズム状のもの」は、それぞれ本願発明の「マトリクス状」、「画素」、「開口部」、「画素形成パネル」、「集光する」、「マイクロレンズ」、「マイクロレンズアレイ」、「表示パネル」、「液晶層」、「第１基板」、「第２基板」、「（透過部間の間隔が長い）一方向」、「画素ピッチ」、「等しく」及び「レンチキュラーレンズ」に相当する。
イ　引用発明の「バックライト」は、液晶表示素子に表示のための光を供給するものであるから、本願発明の「表示のための光を供給するバックライト」に相当する。
ウ　引用発明の「上記液晶表示素子は、主に液晶層と、この液晶層を挟持する第二の基板と第一の基板から構成され、」なる事項は、本願発明の「上記画素形成パネルは、液晶層と、この液晶層を介して互いに対向する第１基板および第２基板とを備え、」なる事項に相当する。
エ　引用発明の「反射電極が配置された反射表示部」は、本願発明の「当該表示パネルの周囲から入射された光を反射する反射部」に相当し、引用発明の「透明電極が配置された透過表示部」は、本願発明の「上記バックライトから出射され、上記開口部を通過した光を透過する透過部」に相当することは、当業者において明らかである。
オ　引用発明の「上記各画素は、反射電極が配置された反射表示部と、透明電極が配置された透過表示部とを含む、隣接する画素における透過表示部間の間隔が長い信号配線方向に対して垂直方向に配列された１つ以上の絵素を含み、」なる事項は、当該複数の各画素が、表示パネルの表示面に対して平行な、列方向または行方向にマトリクス状に配列されているから、本願発明の「上記各画素は、当該表示パネルの周囲から入射された光を反射する反射部と、上記バックライトから出射され、上記開口部を通過した光を透過する透過部とを含む、当該表示パネルの表示面に対して平行な、上記マトリクス状に配列された上記複数の画素の列方向または行方向のうち、隣接する画素における上記透過部間の間隔が長い一方向に対して垂直方向に配列された１つ以上の絵素を含み、」なる事項に相当する。
　
　したがって、両者は、　  
「表示のための光を供給するバックライトと、マトリクス状に配置された複数の画素、および、上記バックライトから出射された光を透過する開口部を含む画素形成パネルと、上記バックライトから出射された光を上記開口部に集光する複数のマイクロレンズからなるマイクロレンズアレイとを備えた表示パネルであって、
　上記画素形成パネルは、液晶層と、この液晶層を介して互いに対向する第１基板および第２基板とを備え、
　上記マイクロレンズアレイは、上記液晶層と上記バックライトとの間に配置される上記第１基板における上記液晶層とは反対側の面に設けられており、
　上記各画素は、当該表示パネルの周囲から入射された光を反射する反射部と、上記バックライトから出射され、上記開口部を通過した光を透過する透過部とを含む、当該表示パネルの表示面に対して平行な、上記マトリクス状に配列された上記複数の画素の列方向または行方向のうち、隣接する画素における上記透過部間の間隔が長い一方向に対して垂直方向に配列された１つ以上の絵素を含み、
　上記マイクロレンズは、
　上記一方向についての当該マイクロレンズの幅が、それと同方向の画素ピッチと等しく、
　上記マイクロレンズアレイは、上記一方向に垂直な方向に配列された、上記一方向に集光力を有する複数のレンチキュラーレンズからなる表示パネル。」
である点で一致し、以下の各点において相違する。
　
相違点
［相違点１］：マトリクス状に配置された複数の画素、および、バックライトから出射された光を透過する開口部を含む画素形成パネルが、本願発明では、バックライトから出射された光を遮光する遮光部を含むのに対し、引用発明では、そのような遮光部を含むかどうか不明な点。
［相違点２］：マイクロレンズが、本願発明では、レンズ頂上部に入射されたバックライトからの光を、略そのままの強度及び方向で透過するのに対し、引用発明では、そのようになってはいない点。
［相違点３］：本願発明は、バックライトの出射光の広がり角度が、マイクロレンズの集光方向に対する開口部の全幅をＡＹ、第１基板の厚みをＴ、上記第１基板の屈折率ｎとしたときにｓｉｎθＡ＝ｎＡＹ／２Ｔで表される上記マイクロレンズの受容角度θＡの２．０倍以下であるのに対し、引用発明は、マイクロレンズの受容角度θＡに対するバックライトの出射光の広がり角度の関係が不明な点。
 　 
　上記相違点につき検討する。
［相違点１］について
　マトリクス状に配置された複数の画素、および、照明装置（本願発明の「バックライト」に相当。）から出射された光を透過する開口部を含む液晶パネルにおいて、該照明装置から出射された光を遮光する遮光部を含むものは本願出願前に周知であり（例えば、特開２００３−５１６４号公報（図１とその説明）、特開平４−２４０６１６号公報（図１とその説明）、特開平６−１８０４４４号公報（【００２８】〜【００３５】、図４〜６）参照。）、この周知技術を引用発明に適用して上記［相違点１］に係る本願発明の構成となすことは当業者が容易になし得ることである。
［相違点２］について
　マイクロレンズのレンズ頂上部に入射された平行入射光を、そのまま平行光として直進させて各画素に受光させるようにする表示装置は本願出願前に周知であり（例えば、特開２００１−６６５８４号公報（図１とその説明）、特開２０００−１９３９２８号公報（図５，図８とその説明）参照。）、この周知技術を引用発明に適用して上記［相違点２］に係る本願発明の構成となすことは当業者が容易になし得ることである。
［相違点３］について
　引用刊行物には、「バックライトを発した光はコリメート性が高い・・・」（上記摘記事項エ【００３９】）と記載されている。また、その図４には、拡散フィルムを通過した時点のものではあるが、バックライトの発光強度の角度依存性が示され、その発光強度は、半値幅が約２０度で法線方向（極角０度）に鋭いピークを有すること、が示されている。すなわち、引用刊行物には、出射光の広がり角度が極力小さく（０度に近く）、コリメート性が高いバックライトを用いるべきことが記載されている、といえるから、バックライトの出射光の広がり角度を極力小さな（０度に近い）値となし、その上限値を、光の利用効率を考慮して、（マイクロレンズの集光方向に対する開口部の全幅をＡＹ、第１基板の厚みをＴ、上記第１基板の屈折率ｎとしたときにｓｉｎθＡ＝ｎＡＹ／２Ｔで表される）マイクロレンズの受容角度θＡの２．０倍以下となして、上記［相違点３］に係る本願発明の構成となすことは当業者が容易になし得ることである。
　
　そして、本願発明によってもたされる効果は、上記引用発明及び各周知技術から当業者が予測し得る程度以上のものとはいえない。
　
　
４．むすび
　したがって、本願発明は、引用刊行物に記載された発明及び周知技術から当業者が容易に発明をすることができたものであるから、特許法第２９条第２項の規定により特許を受けることができない。
　
　よって、結論のとおり審決する。